(57)【要約】      （修正有）【課題】オープンキッチンを構成するキッチンカウンター上に、水はねや、油はねを遮断するパネル体を安定状態に、かつ、取り外し可能に立設できるようし、オープンキッチンがより快適に安全に使用できるようにする。【解決手段】キッチンカウンター上の水槽の側位置に沿って設置されるパネル支持体１０と、パネル支持体１０上に立設支持されるパネル体１２と、一端側がパネル支持体１０に取り外し可能に連結され、他端側が水槽側に取り外し可能に固定される固定体１４とからなることを特徴とする。【選択図】図２
2008012266.tif 000002
【特許請求の範囲】
【請求項１】
キッチンカウンター上の水槽の側位置に沿って設置されるパネル支持体と、
前記パネル支持体上に立設支持されるパネル体と、
一端側が前記パネル支持体に取り外し可能に連結され、他端側が前記水槽側に取り外し可能に固定される固定体と、
からなることを特徴とするキッチンカウンター用パネル装置。
【請求項２】
キッチンカウンター上のガスレンジの側位置に沿って設置されるパネル支持体と、
前記パネル支持体上に立設支持されるパネル体と、
一端側が前記パネル支持体に取り外し可能に連結され、他端側が前記ガスレンジ側に取り外し可能に固定される固定体と、
からなることを特徴とするキッチンカウンター用パネル装置。
【発明の詳細な説明】
【技術分野】
【０００１】  この発明は、オープンキッチンにおいて使用するキッチンカウンター用パネル装置に関する。
【背景技術】
【０００２】  最近、各家庭においてオープンキッチンと呼ばれるキッチン形態が汎く採用されるようになってきている。このオープンキッチンは調理スペースＳ１と食卓スペースＳ２とがキッチンカウンターを介して向かい合うように設計配置（図１参照）されるもので、このようにして、調理者と食卓にいる者の距離を近くし、かつ、料理や食事後の食器の搬送等を効率良くできるようにしている。しかしながら、実際の使用に際してはキッチンカウンターの水槽を使用する場合には水はね等が、ガスレンジを使用する場合には油はね等がキッチンカウンター上を広く汚してしまう問題がある。とくに、キッチンカウンターの逆側に人がいる場合に油はねが大きく起こると火傷の恐れもある。
【発明の開示】
【発明が解決しようとする課題】
【０００３】  そこで最近ではキッチンカウンターの設置時に、キッチンカウンター上の水槽、ガスレンジの側位置に水はねや油はねを遮断するようにガラス等よりなるパネル等を一体に立設固定ことが行われている。しかしながら、そのようにパネル体を固定状態に設けるのは、その取り付け施工に手間がかかるとともに、使用に際して汚れがパネル体やその取り付け部分に付着した場合それを取り除くのに非常に手間がかかる問題があった。また、本来そのようなパネル体はオープンキッチンの本質からみれば無いことが望ましにもかかわらず、水はねや油はねが少ない場合の調理時等にも常にパネル体が存在するという矛盾があった。【０００４】  この発明は上記の事情に鑑みて行ったもので、キッチンカウンター上に安定状態に、かつ、取り外し可能にパネル体が立設できるようし、オープンキッチンがより快適に安全に使用できるようにすることを目的とする。
【課題を解決するための手段】
【０００５】  請求項１の発明では、キッチンカウンター上の水槽の側位置に沿って設置されるパネル支持体と、前記パネル支持体上に立設支持されるパネル体と、一端側が前記パネル支持体に取り外し可能に連結され、他端側が前記水槽側に取り外し可能に固定される固定体とからなることを特徴とするキッチンカウンター用パネル装置を提供する。請求項２の発明では、キッチンカウンター上のガスレンジの側位置に沿って設置されるパネル支持体と、前記パネル支持体上に立設支持されるパネル体と、一端側が前記パネル支持体に取り外し可能に連結され、他端側が前記ガスレンジ側に取り外し可能に固定される固定体とからなることを特徴とするキッチンカウンター用パネル装置を提供する。【０００６】  請求項１の発明のキッチンカウンター用パネル装置をキッチンカウンター上に設置使用することで、水槽側からの水はねがパネル体により遮断され、これによりキッチンカウンター上の水はねによる濡れや汚れの付着が回避される。キッチンカウンター用パネル装置は固定体により水槽側に固定されているのでキッチンカウンター上の所定位置に安定状態に立設支持される。また、キッチンカウンター用パネル装置は、固定体がパネル支持体と水槽側とに対しともに取り外し可能であるので、汚れた際には取り外して固定体、パネル支持体、さらにパネル体が洗浄できるとともに、キッチンカウンターの取り付け部位の洗浄も行える。固定体の水槽側への固定は適宜位置であってよいが、水栓の胴部に固定することで、容易に安定した固定構造が得られる。【０００７】  請求項２の発明のキッチンカウンター用パネル装置をキッチンカウンター上に設置使用することで、ガスレンジ側からの油はね等がパネル体により遮断され、これによりキッチンカウンター上の油はね等による汚れの付着が回避される。キッチンカウンター用パネル装置は固定体によりガスレンジ側に固定されているのでキッチンカウンター上の所定位置に安定状態に立設支持される。また、キッチンカウンター用パネル装置は、固定体がパネル支持体とガスレンジ側とに対しともに取り外し可能であるので、汚れた際には取り外して固定体、パネル支持体、さらにパネル体が洗浄できるとともに、キッチンカウンターの取り付け部位の洗浄も行える。固定体のガスレンジ側への固定はガスレンジカバー等適宜位置であってよい。
【発明の効果】
【０００８】  この発明のキッチンカウンター用パネル装置はキッチンカウンターの設置後に必要に応じて容易に安定状態に取り付けることができ、これを取り付けることで水はね、油はね等を遮断することができて、これにより、オープンキッチンがより快適に安全に使用できるようになる。また、この発明のキッチンカウンター用パネル装置は分解状態として取り外しが可能であることで、装置自身、また、その取り付け部位の洗浄が容易にできて清潔に使用できる利点もある。
【発明を実施するための最良の形態】
【０００９】  図１は請求項１の発明のキッチンカウンター用パネル装置１と請求項２のキッチンカウンター用パネル装置２とをともに用いたキッチンカウンター３の様子を示す。キッチンカウンター用パネル装置１はキッチンカウンター３上の水槽５の向こう側に沿って、キッチンカウンター用パネル装置２はガスレンジ７の向こう側に沿ってそれぞれ立設配置されている。【００１０】  キッチンカウンター用パネル装置１は、パネル支持体と１０とそのパネル支持体１０上に立設支持されるすりガラス製のパネル体１２とパネル支持体の１０の固定体１４とからなる。パネル支持体１０は、図２に示すように、全体がアルミの押し出し成形品よりなり、上面にパネル体の嵌合溝１６を、前面に固定体１４の係止溝１８を、下面に滑り止め具２０が装着されるの装着スペース２２を備えている。パネル支持体１０の端部開口１１はキャップ２６が装着されることで塞がれる。固定体１４は全体が金属製で、一対の固定片１５とその連結具１７とからなる。固定片１５のそれぞれは、その互いに向かい合う部分が湾曲縁１９を備える先端側の把持部２１と中間部が上記連結具１７で連結されその基端が上向きの係止部２３とされた基部２５とが連続一体に形成されている。連結具１７は回転操作部２９とそれに両側から逆ネジ状態に螺入装着される一対のネジ棒２７とからなり、ネジ棒２７それぞれの下方に折れ曲がった外端３３それぞれは固定片１５それぞれの基部２５に設けられた連結穴３１のそれぞれに上方から遊嵌連結されるようになっている。【００１１】  次に、上記キッチンカウンター用パネル装置１の取り付けについて、図３、図４を交えて説明する。まず、パネル支持体１０の開いた端部開口１１から固定体１４の分離状態である固定片１５それぞれを湾曲縁１９それぞれが互いに向かい合うように係止部２３を係止溝１８に係止するように導入し、所定の位置までスライド移動させる。次にその取り付けられた固定片１５それぞれの把持部２１間に水栓５０の胴部５１が位置するようにし、パネル支持体１０をキッチンカウンター３上の所定位置に置く。次に連結具１７のネジ棒２７外端３３それぞれを固定片１５それぞれの基部２５の連結穴３１のそれぞれに上方から遊嵌し、回転操作部２９を回転操作して把持部２１を閉じていき、把持部２１の湾曲縁１９部分で両側から強固に胴部５１を把持することで固定体１４を水栓５０に固定する。次に、パネル支持体１０の嵌合溝１６に上方からパネル体１２を嵌合して立設装着し、端部開口１１をキヤップ２６で塞ぐ。この状態において水槽５に対してパネル体１２がずれた位置にある場合は固定体１４に対してパネル支持体１０をスライド移動することでその位置を調整する。その後、水侵入防止用のシール材を係止溝１８に装着する。【００１２】  上記のようにキッチンカウンター用パネル装置１をカウンター３上に取り付けることで、水槽５側からの水はねがそのパネル体１２により遮断され、これによりキッチンカウンター３上の水はねによる濡れや汚れの付着が回避される。キッチンカウンター用パネル装置１は固定体１４により水栓５０に固定されているのでキッチンカウンター３上の所定位置に安定状態に立設支持され、くわえて、下面に滑り���め具２０が装着されていることでさらに安定状態に支持される。また、汚れた場合には取り外すことでパネル体１２、パネル支持体１０、固定体１４のそれぞれが容易に洗浄でき、また、キッチンカウンター３の装置取り付け部位の洗浄も行える。【００１３】  図５はキッチンカウンター用パネル装置１の固定体１４の変形例を示す。このものでは固定体１４が、基部２５とそれに連結されて固定状態に位置するＬ字片４２とそのＬ字片４２に対して前後方向のスライド位置で取り付けられる可動片４３とからなる。Ｌ字片４２には、図６の断面図にも示すように、前後方向にスライド開口４５が設けられるとともにその下方に連続して巾広のナット装着溝４９が形成され、上方から可動片４３を通して装着される固定ネジ４６はそのスライド開口４５内に挿通され、さらに、ナット装着溝４９内に回転不可に配置されるナット６０に螺入固定されるようになっている。すなわち、水栓５０の胴部５１の背面をＬ字片４２の湾曲縁４７に沿わせ、湾曲縁４８を水栓５０の胴部５１の前面に沿わせる状態において可動片４３を十分に押し込んだ位置において固定ネジ４６を固定して固定体１４の水栓５０への固定を行うようになっている。その他の構成及び作用は上記実施例と同様である。【００１４】  キッチンカウンター用パネル装置２は、パネル支持体１００とそのパネル支持体１００上に立設支持されるすりガラス製のパネル体１２０とパネル支持体の１００の固定体１４０とからなる。パネル支持体１００は、図７に示すように、上記キッチンカウンター用パネル装置１のパネル支持体１０と同様の構成であり、その説明は省略する。固定体１４０は先端が下向きの係止部１４２とされた先端側部１４４と基端が上向きの係止部１４６とされた基部１４７とが連接されて形成されている。【００１５】  次に、上記キッチンカウンター用パネル装置２の取り付けについて図８を交えて説明する。まず、パネル支持体１００の開いた端部開口１１から固定体１４０の基部１４７の係止部１４６を係止溝１８に係止するように導入し、所定の位置までスライド移動させる。次に取り付けられた固定体１４０の先端側部１４４の係止部１４２ををガスレンジカバー１６０の排気口縁１６２に係止する。次に、パネル支持体１００の嵌合溝１６に上方からからパネル体１２０を嵌合して立設装着し、端部開口１１をキヤップ２６で塞ぐ。この状態においてガスレンジ７に対してパネル体１２０がずれた位置にある場合は固定体１４０に対してパネル支持体１００をスライド移動することでその位置を調整する。【００１６】  上記のようにキッチンカウンター用パネル装置２をキッチンカウンター３上に取り付けることで、ガスレンジ７側からの油はね等がそのパネル体１２０により遮断され、これによりキッチンカウンター３上の油はね等による汚れの付着が回避され、また、安全性が確保される。キッチンカウンター用パネル装置２は固定体１４０によりガスレンジ７側に固定されているのでキッチンカウンター３上の所定位置に安定状態に立設支持される。また、汚れた場合には取り外すことでパネル体１２０、パネル支持体１００、固定体１４０のそれぞれが容易に洗浄でき、また、キッチンカウンター３の装置取り付け部��の洗浄も行える。
【図面の簡単な説明】
【図１】  請求項１及び請求項２の発明のキッチンカウンター用パネル装置それぞれの実施形態の取り付け状態を示す斜視図
【図２】  請求項１のキッチンカウンター用パネル装置の実施形態の分解斜視図
【図３】  請求項１のキッチンカウンター用パネル装置の実施形態の取り付け状態の平面図
【図４】  請求項１のキッチンカウンター用パネル装置の実施形態の取り付け状態の側面構成図
【図５】  請求項１のキッチンカウンター用パネル装置の実施形態の変形例分解斜視図
【図６】  請求項１のキッチンカウンター用パネル装置の実施形態の変形例部分断面図
【図７】  請求項２のキッチンカウンター用パネル装置の実施形態の分解斜視図
【図８】  請求項２のキッチンカウンター用パネル装置の実施形態の取り付け状態の側面構成図
【符号の説明】
１  キッチンカウンター用パネル装置
１０  パネル支持体
１２  パネル体
１４  固定体
【図１】
2008012266.tif 000003
【図２】
2008012266.tif 000004
【図３】
2008012266.tif 000005
【図４】
2008012266.tif 000006
【図５】
2008012266.tif 000007
【図６】
2008012266.tif 000008
【図７】
2008012266.tif 000009
【図８】
2008012266.tif 000010